(57)【特許請求の範囲】
【請求項１】
電話機および回線を収容する電子交換機において、前記電子交換機全体を制御する中央処理装置と、第１のスイッチとトーン発生回路とを有する通話路制御装置と、前記電話機または前記回線を接続する通話路パッケージを複数個搭載する複数個の通話路モジュールと、前記通話路モジュールに収容され、第２のスイッチと前記中央処理装置からの指示により前記第２のスイッチを制御する制御部とを有するモジュール制御装置と、を備えたＰＢ信号送出制御方法であって、
前記電話機にダイヤルトーンを送出する場合には、
前記中央処理装置が、前記通話路制御装置の前記第１のスイッチを制御し、前記トーン発生回路から発せられるダイヤルトーンを前記通話路モジュールに搭載された前記通話路パッケージに接続されている前記電話機に送出し、
前記回線にＰＢ信号を送出する場合には、
前記中央処理装置が、ＰＢ信号種別データを前記モジュール制御装置内の制御部に通知し、
前記ＰＢ信号種別データを受けた前記制御部は、ＰＢ信号送出時間に係るスイッチのオン／オフ制御を前記第２のスイッチに対して行い、前記トーン発生回路から発せられるＰＢ信号を前記通話路モジュールに搭載された前記通話路パッケージに接続されている前記回線に送出する、ことを特徴とするＰＢ信号送出制御方法。
【発明の詳細な説明】
【０００１】
【発明の属する技術分野】
本発明は、電子交換機から外部に送出するＰＢ（Push Button）信号の送出制御を行うＰＢ信号送出制御方法に関する。
【０００２】
【従来の技術】
従来、この種の技術として、一般に、図２に示すような技術が用いられている。図２において、本従来例のＰＢ信号送出制御に関する技術は、交換機全体を制御する中央処理装置（ＣＰＥ）１と、信号受信分配装置４を含む通話路制御装置（ＳＰＣ）５と、通話路パッケージを複数個搭載する通話路モジュール（ＳＰＭ）３６ａ、３６ｂとにより構成される。
【０００３】
上記の通話路制御装置（ＳＰＣ）５は、さらに細分化され、ダイヤルトーン、ＰＢトーン等の可聴音を発生するトーン発生回路（ＴＧ）２、時分割スイッチ（ＳＷ）３、中央処理装置１からのデータを各モジュールに分配及び各モジュールからのデータを受信し、中央処理装置１へ送信する信号受信分配装置（ＳＲＤ）４、を含み構成される。
【０００４】
また、通話路モジュール（ＳＰＭ）３６ａは、モジュール制御装置（ＭＣＮＴ）２２と局線トランク１１とを有して構成される。
【０００５】
上記一構成部のモジュール制御装置２２は、時分割スイッチインタフェース部（ＴＳＷＩＦ）８、制御部２３を含み構成される。また、局線トランク１１は、ハイウェイインタフェース部（ＨＷＩＦ）１２、デジタル／アナログ変換回路（Ｄ／Ａ回路）１３、局線インタフェース部（局線ＩＦ）１４、制御部１５を含み構成される。
【０００６】
ＳＰＭ１（３６ｂ）に収容される内線インタフェースパッケージ１７は、ハイウェイインタフェース部（ＨＷＩＦ）１２、デジタル／アナログ変換回路（Ｄ／Ａ回路）１３、制御部１８、電話インタフェース部（ＴＥＬＩＦ）１９を含み構成される。
【０００７】
局線トランク１１は、通話路パッケージの一種である。局線ＩＦ１４は、内部に局線とのインタフェースをとる。Ｄ／Ａ回路１３は、デジタル−アナログ変換を行う。ＨＷＩＦ１２は、音声データを含むハイウェイ（ＨＷ）とのインタフェースをとる。制御部１５は、局線トランク１１内を制御する。
【０００８】
内線インタフェースパッケージ１７は、通話路パッケージの一種である。ＴＥＬＩＦ１９は、内部に内線電話機２６とのインタフェースをとる。制御部１８は、内線インタフェースパッケージ１７内を制御する。
【０００９】
尚、局線トランク１１と内線インタフェースパッケージ１７内で、同じ機能を特つＨＷＩＦ１２、Ｄ／Ａ回路１３は、同じ番号で示す。
【００１０】
通話路モジュール（ＳＰＭ）３６は、バックワイヤリングボード及び複数のユニバーサルスロットを有し、通話路パッケージを複数個搭載する。
【００１１】
モジュール制御装置（ＭＣＮＴ）２２は、通話路モジュール３６に収容される複数の通話路パッケージを制御する。
【００１２】
音声データ等のハイウェイ（ＨＷ）信号は、ＳＰＭ内へデータ信号路０（ＳＰＭＨＷ０）４４でモジュール制御装置３６と通話路パッケージとを接続する。
【００１３】
通話路パッケージの制御信号は、ＳＰＭ内へデータ信号路０（ＳＰＭＤ０）４５でモジュール制御装置２２と接続する。
【００１４】
モジュール制御装置２２内には、ＳＰＭ内のハイウェイ（ＨＷ）と時分割スイッチ３とを接続する時分割スイッチインタフェース部（ＴＳＷＩＦ）８と、信号受信分配装置４と、通話路パッケージの制御信号のインタフェース及びモジュール制御装置２２内を制御する制御部２３を含む。
【００１５】
次に、内線電話機２６からＰＢ局線へ発信する時の動作を説明する。
【００１６】
内線電話機２６のオフフックをＴＥＬＩＦ１９を介して制御部１８が検出し、内線インタフェースパッケージ１７からＳＰＭＤ０にデータが出力され、モジュール制御装置２２内の制御部２３が検出データを通話路制御装置（ＳＰＣ）５内の信号受信分配装置４へ第１シリアルデータ線（ＳＤ１）２１を介して送信する。
【００１７】
中央処理装置１は、信号受信分配装置４からのデータにより内線電話機２６のオフフックを検出し、内線電話機２６へダイヤルトーンを送出するために時分割スイッチ３を制御し、トーン発生回路２から送出されるダイヤルトーンをＨＷ１を通しモジュール制御装置２２へ送信する。モジュール制御装置２２からは、ＳＰＭＨＷ０を介し内線インタフェースパッケージ１７のＨＷＩＦ１２へデータが送信され、Ｄ／Ａ回路１３によりアナログ信号に変換され、ＴＥＬＩＦ１９を通し内線電話機２６へダイヤルトーンが送信される。
【００１８】
次に、局線への発信ダイヤルは、内線インタフェースパッケージ内の制御部１８により計数され、オフフック時と同様なルートで中央処理装置１へ伝えられる。
【００１９】
中央処理装置１は、局線を捕捉するための制御データを信号受信分配装置４を介し局線トランク１１の制御部１５へ送信し、局線トランク１１内の制御部１５は局線ＩＦ１４を制御し局線を捕捉する。
【００２０】
中央処理装置１は、トーン発生回路２で発生するＰＢ信号を時分割スイッチ３を制御しＨＷ０（２０）へ送信し、局線トランク１１内のＨＷＩＦ１２で受信し、Ｄ／Ａ回路１３、局線ＩＦ１４を介してＰＢ信号を局線へ送出する。この時、局線へ送信するＰＢ信号の音種、送信時間等の制御は中央処理装置１が時分割スイッチ３を制御することで行う。即ち、ＰＢ信号を送出する時間は、時分割スイッチ３をオンし、送出を止めるときは時分割スイッチ３をオフする。
【００２１】
尚、図２では、内線１、局線１の構成を示しているが、内線、局線とも複数本有り、複数のＰＢ局線にＰＢ信号を送出する時も上記と同様な動作を各局線毎に行う。また、上記説明は、局線へＰＢ信号を送出する場合を示したが、内線、専用線等へＰＢ信号を送出する場合も上記の説明と同様に送出時間制御は、中央処理装置１により行う。
【００２２】
【発明が解決しようとする課題】
しかしながら、上記従来の技術では、ＰＢ信号の送出時間は中央処理装置が時分割スイッチをオン／オフすることにより制御し、各送出回線毎に時間の管理を行う。従って、回線規模が多い場合中央処理装置への負荷が大きくなる可能性がある問題を伴う。
【００２３】
本発明は、上記従来の問題を解決するものであり、中央処理装置への負荷を軽減し処理能力の向上を図ったＰＢ信号送出制御方法を提供することを目的としている。
【００２４】
【課題を解決するための手段】
かかる目的を達成するため、本発明に係るＰＢ信号送出制御方法は、電話機および回線を収容する電子交換機において、前記電子交換機全体を制御する中央処理装置と、第１のスイッチとトーン発生回路とを有する通話路制御装置と、前記電話機または前記回線を接続する通話路パッケージを複数個搭載する複数個の通話路モジュールと、前記通話路モジュールに収容され、第２のスイッチと前記中央処理装置からの指示により前記第２のスイッチを制御する制御部とを有するモジュール制御装置と、を備えたＰＢ信号送出制御方法であって、前記電話機にダイヤルトーンを送出する場合には、前記中央処理装置が、前記通話路制御装置の前記第１のスイッチを制御し、前記トーン発生回路から発せられるダイヤルトーンを前記通話路モジュールに搭載された前記通話路パッケージに接続されている前記電話機に送出し、前記回線にＰＢ信号を送出する場合には、前記中央処理装置が、ＰＢ信号種別データを前記モジュール制御装置内の制御部に通知し、前記ＰＢ信号種別データを受けた前記制御部は、ＰＢ信号送出時間に係るスイッチのオン／オフ制御を前記第２のスイッチに対して行い、前記トーン発生回路から発せられるＰＢ信号を前記通話路モジュールに搭載された前記通話路パッケージに接続されている前記回線に送出することを特徴としている。
【００２８】
【発明の実施の形態】
次に、添付図面を参照して本発明によるＰＢ信号送出方法の実施の形態を詳細に説明する。図１を参照すると、本発明のＰＢ信号送出方法に使用するためのＰＢ信号送出装置の一実施形態が示されている。図１は、ＰＢ信号送出制御装置の一構成例を示すブロック図である。
【００２９】
図１において、本実施形態のＰＢ信号送出制御装置は、交換機全体を制御する中央処理装置（ＣＰＥ）１と、信号受信分配装置４を含む通話路制御装置（ＳＰＣ）５と、バックワイヤリングボード及び複数のユニバーサルスロットを有し、通話路パッケージを複数個搭載する通話路モジュール（ＳＰＭ）１６ａ、１６ｂとにより構成される。
【００３０】
上記の通話路制御装置（ＳＰＣ）５は、さらに細分化され、ダイヤルトーン、ＰＢトーン等の可聴音を発生するトーン発生回路（ＴＧ）２、時分割スイッチ（ＳＷ）３、中央処理装置１からのデータを各モジュールに分配及び各モジュールからのデータを受信し、中央処理装置１へ送信する信号受信分配装置（ＳＲＤ）４、を含み構成される。
【００３１】
また、通話路モジュール（ＳＰＭ０）１６ａは、モジュール制御装置（ＭＣＮＴ）７と局線トランク１１とを有して構成される。
【００３２】
上記一構成部のモジュール制御装置（ＭＣＮＴ）７は、時分割スイッチインタフェース部（ＴＳＷＩＦ）８、時分割スィッチ９、制御部１０を含み構成される。また、局線トランク１１は、ハイウェイインタフェース部（ＨＷＩＦ）１２、デジタル／アナログ変換回路（Ｄ／Ａ回路）１３、局線ＩＦ１４、制御部１５を含み構成される。
【００３３】
通話路モジュール（ＳＰＭ１）１６ｂを構成する内線インタフェースパッケージ１７は、ＨＷＩＦ１２、Ｄ／Ａ回路１３、制御部１８、ＴＥＬＩＦ１９を含み構成される。
【００３４】
局線トランク１１は、通話路パッケージの一種である。局線ＩＦ１４は、内部に局線とのインタフェースをとる。Ｄ／Ａ回路１３は、デジタル−アナログ変換を行う。ＨＷＩＦ１２は、音声データを含むハイウェイ（ＨＷ）とのインタフェースをとる。制御部１５は、局線トランク１１内を制御する。
【００３５】
内線インタフェースパッケージ１７は、通話路パッケージの一種である。ＴＥＬＩＦ１９は、内部に内線電話機２６とのインタフェースをとる。制御部１８は、内線インタフェースパッケージ１７内を制御する。
【００３６】
尚、局線トランク１１と内線インタフェースパッケージ１７内で、同じ機能を特つＨＷＩＦ１２、Ｄ／Ａ回路１３は、同じ番号で示す。
【００３７】
通話路モジュール（ＳＰＭ）１６は、通話路パッケージを複数個搭載する。
【００３８】
モジュール制御装置（ＭＣＮＴ）２２は、通話路モジュール１６内の通話路パッケージを制御する。
【００３９】
音声データ等のハイウェイ（ＨＷ）信号は、ＳＰＭ内のハイウェイ０（ＳＰＭＨＷ０）２４でモジュール制御装置７と通話路パッケージ（１１）とを接続する。
【００４０】
通話路パッケージの制御信号は、ＳＰＭ内のデータ信号路０（ＳＰＭＤ０）２５でモジュール制御装置７と接続する。
【００４１】
モジュール制御装置７内には、ＳＰＭ内のハイウェイ０（ＳＰＭＨＷ０）２４と時分割スイッチ３とを接続する時分割スイッチインタフェース部（ＴＳＷＩＦ）８と、時分割スイッチ（ＳＷ）９と、信号受信分配装置（ＳＲＤ）４と通話路パッケージの制御信号のインタフェース及びモジュール制御装置７内を制御する制御部１０を含む。
【００４２】
次に、本実施形態による動作例を説明する。
【００４３】
中央処理装置１は、初期設定時に各モジュール制御装置７へモジュール制御装置内の時分割スイッチ９をオフするデータを、信号受信分配装置４を介して送出する。
【００４４】
モジュール制御装置内の制御部１０は、データを受信することにより時分割スイッチ９をオフ、すなわちＳＰＭＨＷ０とＴＳＷＩＦ８との接続を行う。これにより初期状態では、ＳＰＭＨＷ０に通話路制御装置５からのハイウェイ（ＨＷ０，ＨＷ１）が接続されている。
【００４５】
中央処理装置１は、内線電話機２６のオフフックを従来の技術で説明したと同じく検出する。次に、内線電話機２６へダイヤルトーンを送出するため中央処理装置１は、時分割スイッチ３を制御し、トーン発生回路２から送出されるダイヤルトーンをＨＷ１に出力する。この時、モシュール制御装置内の時分割スイッチ９への制御は行わない。従って、ＳＰＭＨＷ０へは、通話路制御装置５から出力されるダイヤルトーンが出力され、内線インタフェースパッケージ１７から内線電話機２６へダイヤルトーンが送出される。
【００４６】
次に、内線電話機２６のダイヤル情報は、従来の技術と同様に内線インタフェースパッケージ１７で計数し、中央処理装置１へ伝えられる。次に中央処理装置１は、局線を捕捉するため、局線トランク１１へ制御データを信号受信分配装置４およびモジュール制御装置（ＭＣＮＴ）７を介して送信する。局線捕捉後に、中央処理装置１は、局線へ送出するＰＢ信号の種類、送出時間のデータを信号受信分配装置４へ出力し、ＳＤ０（２１）を通しモジュール制御装置７の制御部１０へ送信する。
【００４７】
モジュール制御装置７内の制御部１０は、中央処理装置１からのＰＢ信号種別データにより時分割スイッチ９を制御し、トーンハイウェイ（ＴＨＷ）６内のＰＢ信号をＳＰＭＨＷ０（２４）へ出力する。また、送出時間の制御もモジュール制御装置７内の制御部１０で時分割スイッチ９を制御して行う。時分割スイッチ９から出力されるＰＢ信号は、ＳＰＭＨＷ０を通り局線トランク１１から局線へ送出する。
【００４８】
制御部１０は、ＰＢ信号を全て送出後中央処理装置１へＰＢ信号送出完了を通知し、時分割スイッチ９を初期状態に戻し、ＴＳＷＩＦ８とＳＰＭＨＷ０を接続状態とする。
【００４９】
上記説明の図１による実施形態によれば、ＰＢ信号の送出制御を各モジュール制御装置７で行う。このため中央処理装置１は、モジュール制御装置７へＰＢ信号の種別、送出時間のデータを送信する処理のみとなる。また、上記の実施形態では、通話路モジュール１６は２個接続の例を示しているが、通話路モジュール１６は複数個接続されても同様に動作する。また、モジュール制御装置７でスイッチングするトーンは、ＰＢ信号のみとは限らず、トーンハイウェイに含まれるトーン各種がスイッチング可能である。
【００５０】
上記の実施形態は、通話路制御装置で発生するＰＢ信号を含むトーンデータをモジュール制御装置に送り、モジュール制御装置内に上記のトーンデータと時分割スイッチからのＨＷとをスイッチングする時分割スイッチを設け、ＰＢ信号送出制御をモジュール制御装置で行う。
【００５１】
本構成により、ＰＢ信号送出制御は、モジュール制御装置で行う。このため、中央処理装置は、モジュール制御装置へ送出するＰＢ信号種別、送出時間のデータを通知するのみとなり、中央処理装置への負荷を軽減することができる。
【００５２】
尚、上述の実施形態は本発明の好適な実施の一例である。但し、これに限定されるものではなく、本発明の要旨を逸脱しない範囲内において種々変形実施が可能である。
【００５３】
【発明の効果】
以上の説明より明らかなように、本発明のＰＢ信号送出方法によれば、ＰＢ信号の送出制御は、各モジュール制御装置で行い、中央処理装置は、送出するＰＢ信号の種別、送出時間をモジュール制御装置へ通知する処理のみで済む。このため、中央処理装置の負荷が軽減され処理能力の向上が計れる。
【図面の簡単な説明】
【図１】  本発明のＰＢ信号送出制御方法に使用するＰＢ信号送出制御装置の実施形態の構成例を示すブロック図である。
【図２】  従来のＰＢ信号送出制御方法に使用するＰＢ信号送出制御装置の構成例を示すブロック図である。
【符号の説明】
１  中央処理装置（ＣＰＥ）
２  トーン発生回路（ＴＧ）
３、９  時分割スイッチ（ＳＷ）
４  信号受信分配装置（ＳＲＤ）
５  通話路制御装置（ＳＰＣ）
６  トーンハイウェイ
７  モジュール制御装置（ＭＣＮＴ）
８  時分割スイッチインタフェース部（ＴＳＷＩＦ）
１０，１５、１８  制御部
１１  局線トランク
１２  ハイウェイインタフェース部（ＨＷＩＦ）
１３  デジタル／アナログ変換回路（Ｄ／Ａ回路）
１４  局線インタフェース部（局線ＩＦ）
１６  通話路モジュール
１７  内線インタフェースパッケージ
２０  ハイウェイ（ＨＷ）
２１  シリアルデータ信号路（ＳＤ）
２４  通話路モジュール内ハイウェイ（ＳＰＭＨＷ）
２５  通話路モジュール内データ信号路（ＳＰＭＤ）
２６  内線電話機
【図１】
0004172608.tif 000002
【図２】
0004172608.tif 000003